【手続補正書】
【提出日】平成19年12月4日(2007.12.4)
【手続補正１】
【補正対象書類名】特許請求の範囲
【補正対象項目名】全文
【補正方法】変更
【補正の内容】
【特許請求の範囲】
【請求項１】
装置の操作に関する操作画面を表示する表示手段を備え、情報処理装置と通信可能に接続される画像処理装置であって、
前記表示手段に表示する画面情報を前記情報処理装置から取得すべきかを判定する判定手段と、
前記判定手段が前記表示手段に表示する画面情報を前記情報処理装置から取得すべきであると判定した場合、前記情報処理装置に対して前記画像処理装置の設置場所に関する情報を送信するとともに画面情報を要求する要求手段と、
前記判定手段が前記表示手段に表示する画面情報を前記情報処理装置から取得すべきであると判定しなかった場合、画面情報を前記画像処理装置内から取得する取得手段と、
前記要求手段の要求に基づいて前記情報処理装置より送信される画面情報を受信する受信手段と、を備え、
前記表示手段は、前記受信手段が受信した画面情報、あるいは前記取得手段が取得した画面情報のいずれかの画面情報に基づいて操作画面を表示し、
前記受信手段が前記情報処理装置からの画面情報の受信に成功しなかった場合、前記取得手段に画面情報を前記画像処理装置内から取得させることを特徴とする画像処理装置。
【請求項２】
前記要求手段は、前記情報処理装置に対して画面情報を要求する際に、前記画面情報を識別するための識別情報を前記情報処理装置へ送信することを特徴とする請求項１に記載の画像処理装置。
【請求項３】
前記要求手段は、前記情報処理装置に対して画面情報を要求する際に、前記画像処理装置を使用するユーザに関する情報を前記情報処理装置へ送信することを特徴とする請求項１に記載の画像処理装置。
【請求項４】
画像処理の状態の異常を監視する監視手段と、
画像処理の状態の異常と、該状態の異常が発生した場合に前記表示手段に表示する画面情報が格納された格納先と、を関連づけるデータベースを保持する保持手段と、を更に備え、
前記監視手段が画像処理の状態の異常を認識した場合に、前記要求手段は、前記データベースを用いて前記格納先を示す情報を取得し、該取得した格納先を指定して画面情報を要求することを特徴とする請求項１に記載の画像処理装置。
【請求項５】
前記表示手段は、ウェブブラウザを介して前記操作画面を表示し、前記データベースにおいて、前記格納先はＵＲＬで記述されていることを特徴とする請求項４に記載の画像処理装置。
【請求項６】
装置の操作に関する操作画面を表示する表示手段を備える画像処理装置と通信可能に接続される情報処理装置であって、
前記画像処理装置の表示手段に表示するための画面情報を保持する保持手段と、
前記画像処理装置より前記画像処理装置の設置場所に関する情報の送信とともに画面情報の要求があった場合に、前記画像処理装置の設置場所に関する情報に基づいて前記保持手段に保持された情報の中から、前記画像処理装置の表示手段に表示させるために画面情報を選択する選択手段と、
前記選択手段により選択された画面情報を前記画像処理装置に送信する送信手段と
を備えることを特徴とする情報処理装置。
【請求項７】
装置の操作に関する操作画面を表示する表示手段を備え、情報処理装置と通信可能に接続される画像処理装置における画面表示方法であって、
前記表示手段に表示する画面情報を前記情報処理装置から取得すべきかを判定する判定工程と、
前記判定工程において前記表示手段に表示する画面情報を前記情報処理装置から取得すべきであると判定した場合、前記情報処理装置に対して前記画像処理装置の設置場所に関する情報を送信するとともに画面情報を要求する要求工程と、
前記判定工程において前記表示手段に表示する画面情報を前記情報処理装置から取得すべきであると判定しなかった場合、画面情報を前記画像処理装置内から取得する第１取得工程と、
前記要求工程における要求に基づいて前記情報処理装置より送信される画面情報を受信する受信工程と、
前記受信工程において、前記情報処理装置からの画面情報の受信に成功しなかった場合、画面情報を前記画像処理装置内から取得する第２取得工程と、
前記受信工程で受信した画面情報、前記第１取得工程で取得した画面情報、あるいは前記第２取得工程で取得した画面情報のいずれかの画面情報に基づく操作画面を前記表示手段に表示する表示工程と
を備えることを特徴とする画面表示方法。
【請求項８】
画像処理装置の表示手段に表示するための画面情報を保持する保持手段を備え、前記画像処理装置と通信可能に接続される情報処理装置における情報処理方法であって、
前記画像処理装置より前記画像処理装置の設置場所に関する情報とともに画面情報の要求があった場合に、前記画像処理装置の設置場所に関する情報に基づいて前記保持手段に保持された情報の中から、前記画像処理装置の表示手段に表示させるための画面情報を選択する選択工程と、
前記選択工程において選択された画面情報を前記画像処理装置に送信する送信工程と
を備えることを特徴とする情報処理方法。
【請求項９】
請求項７に記載の画面表示方法をコンピュータによって実行させるためのコンピュータ読取可能な制御プログラム。
【請求項１０】
請求項８に記載の情報処理方法をコンピュータによって実行させるためのコンピュータ読取可能な制御プログラム。
【手続補正２】
【補正対象書類名】明細書
【補正対象項目名】発明の名称
【補正方法】変更
【補正の内容】
【発明の名称】画像処理装置、情報処理装置、画面表示方法、情報処理方法、ならびにプログラム
【手続補正３】
【補正対象書類名】明細書
【補正対象項目名】０００４
【補正方法】変更
【補正の内容】
【０００４】
しかしながら、多くの画像処理装置を導入している企業などの場合、全ての画像処理装置をまわって、それぞれの画像処理装置においてカスタマイズの設定を行うことは、画像処理装置の管理者に大きな負荷を強いることとなる。
【手続補正４】
【補正対象書類名】明細書
【補正対象項目名】０００５
【補正方法】変更
【補正の内容】
【０００５】
このため、情報処理装置と複数の画像処理装置が通信可能に接続されたシステムでは、管理者が当該情報処理装置上において一括してカスタマイズ操作するだけで、全ての画像処理装置についての、設置場所に応じたカスタマイズが可能になることが望ましい。
【手続補正５】
【補正対象書類名】明細書
【補正対象項目名】０００６
【補正方法】変更
【補正の内容】
【０００６】
本発明は上記課題に鑑みてなされたものであり、情報処理装置と複数の画像処理装置とが通信可能に接続されたシステムにおいて、各画像処理装置に表示される各種情報を、各画像処理装置の設置場所に応じてカスタマイズすることを、容易に行えるようにすることを目的とする。
【手続補正６】
【補正対象書類名】明細書
【補正対象項目名】０００７
【補正方法】変更
【補正の内容】
【０００７】
上記の目的を達成するために本発明に係る画像処理装置は以下のような構成を備える。即ち、
装置の操作に関する操作画面を表示する表示手段を備え、情報処理装置と通信可能に接続される画像処理装置であって、
前記表示手段に表示する画面情報を前記情報処理装置から取得すべきかを判定する判定手段と、
前記判定手段が前記表示手段に表示する画面情報を前記情報処理装置から取得すべきであると判定した場合、前記情報処理装置に対して前記画像処理装置の設置場所に関する情報を送信するとともに画面情報を要求する要求手段と、
前記判定手段が前記表示手段に表示する画面情報を前記情報処理装置から取得すべきであると判定しなかった場合、画面情報を前記画像処理装置内から取得する取得手段と、
前記要求手段の要求に基づいて前記情報処理装置より送信される画面情報を受信する受信手段と、を備え、
前記表示手段は、前記受信手段が受信した画面情報、あるいは前記取得手段が取得した画面情報のいずれかの画面情報に基づいて操作画面を表示し、
前記受信手段が前記情報処理装置からの画面情報の受信に成功しなかった場合、前記取得手段に画面情報を前記画像処理装置内から取得させることを特徴とする。
【手続補正７】
【補正対象書類名】明細書
【補正対象項目名】０００８
【補正方法】変更
【補正の内容】
【０００８】
本発明によれば、情報処理装置と複数の画像処理装置とが通信可能に接続されたシステムにおいて、各画像処理装置に表示される各種情報を、各画像処理装置の設置場所に応じてカスタマイズすることを、容易に行えるようになる。